(57)【特許請求の範囲】
【請求項１】
キーボードと、
表示パネルを備える表示装置と
を具備し、
前記表示装置は前記キーボードを収容可能な収容部を備え、
前記収容部は前記表示パネルの裏側に配置され、
前記収容部は、前記表示装置の上面に開口し、前記上面から前記表示パネルに沿って遠ざかる方向に陥入して形成され、
前記キーボードは、前記キーボードのキー配置面と前記表示パネルの表示面とが平行な状態で、前記表示面に沿う方向に前記収容部に挿入されて収容され、
制御装置を更に具備し、
前記制御装置は、
演算制御部と、
プログラムを格納した記憶部と
を備え、
前記キーボードは、前記キーボードが前記収容部に収容されている状態において露出する第１キー群を備え、
前記表示装置は、
前記キーボードが前記収容部に収容されたことを検出して検出信号を出力するキーボード検出器を備え、
前記演算制御部は、前記検出信号に基づいて前記プログラムを読み出して実行し、
前記プログラムが実行されている間、
前記第１キー群は、前記プログラムを制御するための操作キーとして機能する
情報処理システム。
【請求項２】
前記制御装置は凹形状部を備え、
前記表示装置は凸形状部を備え、
前記制御装置は、前記凸形状部が前記凹形状部に挿入された状態において、前記表示装置を支持する
請求項１の情報処理システム。
【請求項３】
前記表示装置は、前記表示パネルの裏側に配置された脚部を備え、
前記脚部は前記凸形状部を備える
請求項２の情報処理システム。
【発明の詳細な説明】
【技術分野】
【０００１】
本発明は、情報処理システムに関する。
【背景技術】
【０００２】
従来より、パーソナルコンピュータ等の情報処理システムを机上等に設置する際に、省スペース化を図るための発明がなされている。例えば、特開2006-18789号公報（特許文献１）には、ディスプレイの足台にキーボードを収納することにより省スペース化を図ることが開示されている。この従来技術では、キーボードは、足台に格納された状態において、机上とほぼ平行であるため、机上に立てられたディスプレイを如何に薄くできたとしても、机上の省スペース化をキーボードが阻害してしまう。
【特許文献１】特開2006-18789号公報
【発明の開示】
【発明が解決しようとする課題】
【０００３】
本発明の目的は、複数の構成部分を備え、各構成部分を自由に配置することが可能な情報処理システムを提供することである。
【０００４】
本発明の他の目的は、ワイヤレス化が実現される情報処理システムを提供することである。
【０００５】
本発明の更に他の目的は、省スペース化が実現される情報処理システムを提供することである。
【課題を解決するための手段】
【０００６】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００７】
本発明による情報処理システムは、キーボード（１）と、表示パネル（２１）を備える表示装置（２）とを具備している。ここで、前記表示装置は前記キーボードを収容可能な収容部（２０）を備えている。そして、前記収容部は前記表示パネルの裏側に配置されている。
【０００８】
また、本発明による情報処理システムは、凸形状部（２８）を備える表示装置（２）と、凹形状部（３０）を備える制御装置（３）とを具備している。そして、前記制御装置は、前記凸形状部が前記凹形状部に挿入された状態において、前記表示装置を支持する。
【０００９】
また、本発明による情報処理システムは、表示パネル（２１）と、前記表示パネルの裏側に配置されている脚部（２８）とを備える表示装置（２）と、凹形状の支持部（３０）を備える制御装置（３）とを具備している。そして、前記制御装置は、前記脚部が前記支持部に挿入された状態において、前記表示装置を支持する。
【００１０】
また、本発明による情報処理システムは、キーボード（２）と、前記キーボードを収容可能な収容部（２０）を備える装置（２）とを具備している。
【発明の効果】
【００１１】
本発明によれば、複数の構成部分を備え、各構成部分を自由に配置することが可能な情報処理システムが提供される。
【００１２】
また、本発明によれば、ワイヤレス化が実現される情報処理システムが提供される。
【００１３】
さらに、本発明によれば、省スペース化が実現される情報処理システムが提供される。
【発明を実施するための最良の形態】
【００１４】
添付図面を参照して、本発明による情報処理システムを実施するための最良の形態を以下に説明する。
【００１５】
（第１の実施の形態）
本発明の実施の形態に係る情報処理システム１００を図１に示す。情報処理システム１００は、キーボード１と、表示装置２と、演算制御装置３とを備えている。情報処理システム１００を使用して文書を作成するときにおいては、キーボード１は、ユーザの手元に置く必要がある。表示装置２は、表示のような出力機能を有しているため、ユーザの近くに置く必要がある。演算制御装置３は、演算や制御、記憶といった機能を有しているが、ユーザと直接関わらないために、必ずしもユーザの近くに置く必要がない。情報処理システム１００においては、キーボード１、表示装置２、及び演算制御装置３が分離可能であるために、それぞれを適当な位置に置くことが可能である。例えば、キーボード１と表示装置２を机の上に置き、演算制御装置３を足元に置けば、机の上を広く使うことができる。
【００１６】
キーボード１を図２に示す。図２（ａ）はキーボード１の前側について示し、図２（ｂ）はキーボード１の後側について示している。
【００１７】
キーボード１は、キー配置部１ａと、キー配置部１ａの端部に固着されている脚部１ｂとを備えている。キー配置部１ａは、キー配置面１ｃに第１キー群１１と第２キー群１２とを備え、脚部１ｂと反対側の端部に磁石１４とコネクタ１０５とを備えている。第１キー群１１は脚部１ｂの近傍に配置され、第２キー群１２は第１キー群１１とコネクタ１０５が配置されている端部との間に配置されている。さらに、キーボード１は、無線通信部１０１と、後述する二次電池１３とを備えている。無線通信部１０１は、後述する無線通信部３０１との間で無線通信を行う。
【００１８】
表示装置２を図３に示す。図３（ａ）は表示装置２の前側について示し、図３（ｂ）は表示装置２の後側について示している。
【００１９】
表示装置２は、正面２ａに表示パネル２１とスピーカ２２を備えている。表示パネル２１は、液晶ディスプレイやプラズマディスプレイのような薄型の表示部である。表示パネル２１として液晶ディスプレを用いれば、表示装置２を薄く、且つ、軽くすることが可能であり。表示パネル２１としてプラズマディスプレイを用いれば、画面の大型化が容易である。
【００２０】
表示装置２は、上面２ｃに開口している凹形状部である収容部２０を備えている。収容部２０は、上面２ｃから表示パネル２１に沿って遠ざかる方向に深く陥入して形成されている。キーボード１は、キー配置面１ｃと表示面２１ａとが平行な状態で、表示面２１ａに沿う方向に収容部２０に挿入されて収容される。表示装置２は、収容部２０の内側面である底面にコネクタ２０５を備えている。キーボード１が収容部２０に収容されると、コネクタ１０５とコネクタ２０５とが接続される。また、表示装置２は、キーボード１が収容部２０に収容されたことを検出するキーボード検出器２４を備えている。キー配置面１ｃが表示面２１ａに平行な状態でキーボード１が収容部２０に収容されるので、表示装置２を薄くすることができる。
【００２１】
ここで、キーボード検出器２４は、磁束センサを備え、キーボード１に取り付けられた磁石１４が発生する磁束を検出することでキーボード１が収容部２０に収容されたことを検出する。また、キーボード検出器２４は、コネクタ１０５とコネクタ２０５とが接続されたことを検出することでキーボード１が収容部２０に収容されたことを検出しても良い。
【００２２】
表示装置２は、側面２ｅに光ディスク装置２３を備えている。光ディスク装置２３は、ＣＤやＤＶＤのような光ディスクに対するデータの書き込みと、光ディスクからのデータの読み出しとを行う。光ディスクは、その記録面が表示面２１ａに平行な状態で、表示面２１ａに沿う方向に光ディスク装置２３に挿入されて格納され、格納された位置でデータの書き込みと読み出しとが行われる。したがって、表示装置２を薄くすることが可能である。
【００２３】
表示装置２は、背面２ｂに無線通信部２０１と、可動脚２８を備えている。無線通信部２０１は、後述する無線通信部３０１との間で無線通信を行う。可動脚２８は、背面２ｂに固着されている軸部２７を介して背面２ｂに連結されている。可動脚２８は表示装置２に対して軸部２７の開閉軸まわりに開閉可能となっている。なお、背面２ｂは、正面２ａの反対側の面であり、表示パネル２１の裏側に位置している。
【００２４】
表示装置２は、側面２ｆにコネクタ２５を備えている。コネクタ２５は、プリンタ（図示せず）のような周辺機器を接続したり、情報処理システム１００をネットワークに接続するために使用される。
【００２５】
表示装置２は、表示パネル２１の周囲を囲む枠状部の一部である下面２ｄに固定脚２６を備えている。表示装置２は、可動脚２８と固定脚２６とによって支持される。可動脚２８と背面２ｂとのなす角度を変えることで、表示面２１ａが向く方向を調節できる。
【００２６】
演算制御装置３を前側から見た状態を図４に示す。
【００２７】
演算制御装置３は、上面３ａと、上面３ａの反対側に配置され、上面３ａに平行な底面３ｂと、上面３ａ及び底面３ｂに垂直な平面である前面３ｃと、上面３ａ及び底面３ｂに垂直な曲面である側背面３ｄとを備えている。
【００２８】
演算制御装置３は、上面３ａに開口している凹形状部である支持部３０を備えている。支持部３０は、上面３ａから垂直な深さ方向に深く陥入して形成されている。ここで、支持部３０の底面が底面３ｂに平行であり、支持部３０の内壁面が底面３ｂに垂直であるから、表示装置２は、可動脚２８が支持部３０に挿入された状態においては、支持部３０の底面によって重力に抗して支持され、支持部３０の内壁面によって倒れないように支持される。
【００２９】
演算制御装置３は、後述する電源部３３と、無線通信部１０１及び無線通信部２０１との間で無線通信をするための無線通信部３０１とを備えている。
【００３０】
図５を用いてキーボード１について説明する。第１キー群１１と無線通信部１０１とは、信号線１５１によって接続されている。第２キー群１２と無線通信部１０１とは、信号線１５２によって接続されている。二次電池１３とコネクタ１０５とは、配線１７１によって電気的に接続されている。第１キー群１１、第２キー群１２、及び無線通信部１０１は、二次電池１３から供給される電力によって動作する。
【００３１】
図６を用いて表示装置２について説明する。表示パネル２１と無線通信部２０１とは、信号線２５１によって接続されている。スピーカ２２と無線通信部２０１とは、信号線２５２によって接続されている。光ディスク装置２３と無線通信部２０１とは、信号線２５３によって接続されている。キーボード検出器２４と無線通信部２０１とは、信号線２５４によって接続されている。コネクタ２５と無線通信部２０１とは、信号線２５５によって接続されている。表示装置２は電源部２９を備えている。コネクタ２０５と電源部２９とは、配線２７１によって接続されている。表示パネル２１、スピーカ２２、光ディスク装置２３、キーボード検出器２４、及び無線通信部２０１は、電源部２９から供給される電力によって動作する。
【００３２】
図７を用いて演算制御装置３について説明する。演算制御部３１と無線通信部３０１とは、信号線１５１によって接続されている。演算制御部３１と記憶部３２とは、信号線３５２によって接続されている。演算制御装置３は、電源部３３を備えている。演算制御部３１、記憶部３２、及び無線通信部３０１は、電源部３３から供給される電力によって動作する。
【００３３】
第１キー群１１及び第２キー群１２からのキー入力信号は、無線通信部１０１から無線通信部３０１へ無線により伝送され、さらに信号線３５１を介して演算制御部３１に伝送される。また、キーボード検出器２４からの検出信号は、無線通信部２０１から無線通信部３０１へ無線により伝送され、さらに信号線３５１を介して演算制御部３１に伝送される。また、演算制御部３１は、表示パネル２１、スピーカ２２、光ディスク装置２３、及び記憶部３２を制御する。
【００３４】
本発明の第１の実施の形態に係る情報処理システム１００においては、キーボード１と表示装置２を接続する接続ケーブル、及び、表示装置２と演算制御装置３を接続する接続ケーブルは必要とされない。また、図１に示すように、前面３ｃを下にし、上面３ａが水平方向を向くようにして演算制御装置３を設置すると、演算制御装置３の設置面積を小さくすることができる。
【００３５】
本発明の第１の実施の形態に係る情報処理システム１００を図８に示す状態で使用するときについて説明する。図８に示す状態においては、キーボード１は収容部２０に収容されている。このとき、コネクタ１０５とコネクタ２０５とが接続されている。また、第１キー群１１は収容部２０の外に露出しており、第２キー群１２は収容部２０の中に収容されている。表示装置２は、固定脚２６と可動脚２８とによって支持されている。
【００３６】
キーボード１が収容部２０に収容されている状態においては、二次電池１３は、電源部２９から配線２７１、コネクタ２０５、コネクタ１０５、及び配線１７１を介して供給される電流によって充電される。キーボード１が収容部２０に収容されている状態においては、第１キー群１１、第２キー群１２、無線通信部１０１は二次電池１３から供給される電力によって動作しても良く、電源部２９から供給される電力によって動作しても良い。
【００３７】
図８に示すようにキーボード１が収容部２０に収容されている状態においては、キーボード１が収容されることで省スペース化が実現されている。また、この状態は、映画又は音楽が記録されている光ディスクを再生して鑑賞するときに好適である。つまり、キーボード１が表示パネル２１及びスピーカ２２の裏側に収容されているために、表示パネル２１が表示する映像及びスピーカ２２が発生する音声を視聴することがキーボード１によって妨げられない。また、第１キー群１１を用いて光ディスクの再生装置としての情報処理システム１００を操作する場合の操作性は、第１キー群１１が露出しており、且つ、第１キー群１１が配置されているキー配置面１ｃと表示パネル２１及びスピーカ２２とが同じ方向を向いているために優れている。さらに、情報処理システム１００を使用して音楽を鑑賞する場合に、演算制御装置３を鑑賞者から離れたところに設置すれば、演算制御部３１を冷却するためのファンの音が気にならない。
【００３８】
情報処理システム１００を図９に示す状態で使用するときについて説明する。図９に示す状態においては、キーボード１は収容部２０に収容されており、可動脚２８が支持部３０に挿入されることで表示装置２が演算制御装置３によって支持されている。この状態においては、情報処理システム１００の設置面積を大変小さくすることができる。
【００３９】
情報処理システム１００においては、キーボード１を収容部２０に収容すると情報処理システム１００を光ディスクの再生装置として使用するためのプログラムが起動することとしてもよい。このことについて、図１０及び図１１を用いて以下に説明する。
【００４０】
図１０に示すように、キーボード検出器２４は、キーボード１が収容部２０に収容されたことを検出して検出信号を出力する（ステップＳ１）。演算制御部３１は、キーボード検出器２４が出力した検出信号に基づいて記憶部３２に格納されている所定のプログラムを読み出して実行する（ステップＳ２）。
【００４１】
演算制御部３１がステップＳ２で読み出したプログラムを実行しているときにおいては、情報処理システム１００はこのプログラムに基づいて図１１に示す処理を行う。第１キー群１１に含まれる所定のキーからの入力（ステップＳ２１）がなされると、光ディスク装置２３は、光ディスク装置２３に格納されており、映像又は音声のデータが記録されている光ディスクから映像又は音声のデータを読み出す（ステップＳ２２）。そして、表示パネル２１は映像のデータに基づいて映像を表示し、又は、スピーカ２２は音声のデータに基づいて音声を発生する（ステップＳ２３）。
【００４２】
ステップＳ２で読み出したプログラムが実行されているときには、第１キー群１１は、光ディスクの再生を開始させるためのキーのほか、音量を調節するためのキーのような情報処理システム１００をオーディオビジュアル機器として使用するための操作キーとして機能する。
【００４３】
（第２の実施の形態）
本発明の第２の実施の形態に係る情報処理システム１００について以下に説明する。なお、第１の実施の形態と共通する部分には同一の符号を付けて重複する説明を省略する。本発明の第２の実施の形態に係る情報処理システム１００は、キーボード１と、表示装置２と、演算制御装置３とを備えている。キーボード１は、図２（ｂ）及び図５に示すように、無線通信部１０１の代わりに無線通信部１０１’を備えている。無線通信部１０１’は、後述する無線通信部２０１’との間で無線通信を行う。表示装置２は、図１２（ａ）に示すように正面２ａに無線通信部２０１’を備えている。また、第２の実施の形態に係る表示装置２は無線通信部２０１及び電源部２９を備えておらず、第２の実施の形態に係る演算制御装置３は無線通信部３０１を備えていない。代わりに、第２の実施の形態においては、図１２（ｂ）、図１３〜１５に示すように、表示パネル２１、スピーカ２２、光ディスク装置２３、キーボード検出器２４、コネクタ２５、及び無線通信部２０１’は、表示装置２と演算制御装置３とを接続する接続ケーブル４１を介して演算制御部３１に接続されている。コネクタ２０５は、表示装置２と演算制御装置３とを接続する接続ケーブル４２を介して電源部３３に接続されている。
【００４４】
したがって、第２の実施の形態においては、表示パネル２１、スピーカ２２、光ディスク装置２３、キーボード検出器２４、及びコネクタ２５と演算制御部３１との間では、有線通信により確実な通信がなされる。また、表示パネル２１、スピーカ２２、光ディスク装置２３、キーボード検出器２４、及び無線通信部２０１’は、電源部３３から接続ケーブル４２を介して供給される電力によって動作するため、電源部２９が不要となっている。
【００４５】
第２の実施の形態においては、第１キー群１１及び第２キー群１２からのキー入力信号は、無線通信部１０１’から無線通信部２０１’に無線により伝送され、さらに接続ケーブル４１を介して演算制御部３１に伝送される。
【００４６】
第２の実施の形態においてキーボード１が収容部２０に収容されているときは、二次電池１３は、電源部３３から接続ケーブル４２、コネクタ２０５、コネクタ１０５、及び配線１７１を介して供給される電流によって充電される。キーボード１が収容部２０に収容されている状態においては、第１キー群１１、第２キー群１２、無線通信部１０１’は二次電池１３から供給される電力によって動作しても良く、電源部３３から供給される電力によって動作しても良い。
【００４７】
本発明の実施の形態に係る情報処理システム１００は、無線式マウスのような無線式のポインティングデバイスを具備してもよい。この場合は、無線通信部３０１又は無線通信部２０１’が無線式のポインティングデバイスからの信号を受信して演算制御部３１に伝送する。
【００４８】
なお、本発明の実施の形態においては、無線通信部１０１、１０１’、２０１、、２０１’、及び３０１は、赤外線、又は電波を用いて無線通信を行う。赤外線を用いる無線通信は節電の点で有利である。電波を用いる無線通信は、無線通信経路に多少の障害物があっても通信が可能であるため、通信を行う対象機器を自由に設置できる点が有利である。
【図面の簡単な説明】
【００４９】
【図１】図１は、本発明の実施の形態に係る情報処理システムを示す図である。
【図２】図２は、本発明の実施の形態に係るキーボードを示す図であり、図２（ａ）はキーボードの前側について示し、図２（ｂ）はキーボードの後側について示す。
【図３】図３は、本発明の第１の実施の形態に係る表示装置を示す図であり、図３（ａ）は表示装置の前側について示し、図３（ｂ）は表示装置の後側について示す。
【図４】図４は、本発明の第１の実施の形態に係る演算制御装置を示す図である。
【図５】図５は、本発明の実施の形態に係るキーボードについて示す機能ブロック図である。
【図６】図６は、本発明の第１の実施の形態に係る表示装置について示す機能ブロック図である。
【図７】図７は、本発明の第１の実施の形態に係る演算制御装置について示す機能ブロック図である。
【図８】図８は、本発明の実施の形態に係る情報処理システムにおいて、キーボードを表示装置の収容部に収容した状態を示す図である。
【図９】図９は、本発明の実施の形態に係る情報処理システムにおいて、キーボードを表示装置の収容部に収容し、表示装置の可動脚を演算制御装置の支持部に挿入した状態を示す図である。
【図１０】図１０は、本発明の実施の形態に係る情報処理システムが行う一の処理について示すフローチャートである。
【図１１】図１１は、本発明の実施の形態に係る情報処理システムが行う他の処理について示すフローチャートである。
【図１２】図１２は、本発明の第２の実施の形態に係る表示装置を示す図であり、図１２（ａ）は表示装置の前側について示し、図１２（ｂ）は表示装置の後側について示す。
【図１３】図１３は、本発明の第２の実施の形態に係る演算制御装置を示す図である。
【図１４】図１４は、本発明の第２の実施の形態に係る表示装置について示す機能ブロック図である。
【図１５】図１５は、本発明の第２の実施の形態に係る演算制御装置について示す機能ブロック図である。
【符号の説明】
【００５０】
１００…情報処理システム
１…キーボード
１ａ…キー配置部
１ｂ…脚部
１ｃ…キー配置面
１１…第１キー群
１２…第２キー群
１３…二次電池
１４…磁石
１０１、１０１’…無線通信部
１０５…コネクタ
１５１、１５２…信号線
１７１…配線
２…表示装置
２ａ…正面
２ｂ…背面
２ｃ…上面
２ｄ…下面
２ｅ、２ｆ…側面
２０…収容部
２１…表示パネル
２１ａ…表示面
２２…スピーカ
２３…光ディスク装置
２４…キーボード検出器
２５、２０５…コネクタ
２６…固定脚
２７…軸部
２８…可動脚
２９…電源部
２０１、２０１’…無線通信部
２５１〜２５５…信号線
２７１…配線
３…演算制御装置
３ａ…上面
３ｂ…底面
３ｃ…前面
３ｄ…側背面
３０…支持部
３１…演算制御部
３２…記憶部
３３…電源部
３０１…無線通信部
３５１、３５２…信号線
４１、４２…接続ケーブル
【図１】
0004429287.tif 000002
【図２】
0004429287.tif 000003
【図３】
0004429287.tif 000004
【図４】
0004429287.tif 000005
【図５】
0004429287.tif 000006
【図６】
0004429287.tif 000007
【図７】
0004429287.tif 000008
【図８】
0004429287.tif 000009
【図９】
0004429287.tif 000010
【図１０】
0004429287.tif 000011
【図１１】
0004429287.tif 000012
【図１２】
0004429287.tif 000013
【図１３】
0004429287.tif 000014
【図１４】
0004429287.tif 000015
【図１５】
0004429287.tif 000016